(57)【要約】【課題】懐中電灯として利用できるだけでなく、室内装飾品として機能する場合にも十分な照明効果を発揮することができる照明装置を提供する。【解決手段】本体１０には電源１１が収容される。複数のケーブル１３は電源１１に接続され、本体１０の上端から突出する。これらのケーブル１３の先端には、電源から供給される電力によって発光する発光部２０が設けられる。筒体１５は本体１０の外周面に嵌合され、ケーブル１３を囲繞する上昇位置とケーブル１３が露出する下降位置との間において、本体１０に対して相対変位可能である。筒体１５が上昇位置にあるとき、発光部２０は筒体１５の中に収容され、筒体１５が下降位置にあるとき、ケーブル１３は発光部２０が本体１０の外周面から径方向外方に突出するように変形可能である。【選択図】図４
2018060763.tif 000002
【特許請求の範囲】
【請求項１】
机上に載置するための本体と、
前記本体に収容された電源と、
前記電源に接続され、前記本体の上端から突出する複数のケーブルと、
前記複数のケーブルの先端に設けられ、前記電源から供給される電力によって発光する発光部と、
前記本体の外周面に嵌合され、前記ケーブルを囲繞する上昇位置と前記ケーブルが露出する下降位置との間において、前記本体に対して相対変位可能な筒体とを備え、
前記筒体が前記上昇位置にあるとき、前記発光部は前記筒体の中に収容され、
前記筒体が前記下降位置にあるとき、前記ケーブルは前記発光部が前記本体の外周面から径方向外方に突出するように変形可能であることを特徴とする照明装置。
【請求項２】
前記発光部が光を照射する電球と、前記電球の外周を囲繞し、前記ケーブルに向かって窄まる円錐形状を有する傘状部材とを有することを特徴とする請求項１に記載の照明装置。
【請求項３】
前記傘状部材が可撓性を有することを特徴とする請求項２に記載の照明装置。
【発明の詳細な説明】
【技術分野】
【０００１】  本発明は、非常時等には懐中電灯として利用され、通常は室内の装飾用として使用可能な照明装置に関する。
【背景技術】
【０００２】  従来、懐中電灯と室内装飾品を兼ねる照明装置として特許文献１に開示されたものが知られている。この照明装置は、電池とランプを収容する本体に、有底筒状のカバーを上方から被せて構成される。ランプは本体の下端部に設けられ、カバーの開口部の近傍に位置しており、照明装置は通常、開口部すなわちランプを下にして机上に載置される。この載置状態において、カバーを本体に対して持ち上げることにより本体の下端部が露出し、ランタンとして機能する。またカバーの外周面を把持することにより、照明装置を懐中電灯として使用可能である。
【先行技術文献】
【特許文献】
【０００３】
【特許文献１】  特開２００２−３１３１０２号公報
【発明の概要】
【発明が解決しようとする課題】
【０００４】  上述した従来の照明装置は、本体に対してカバーをスライドさせることにより、本体のランプの部分をカバーから出没させるだけの構成であり、室内装飾品として機能する場合の照明効果は不十分であった。【０００５】  本発明は、懐中電灯として利用できるだけでなく、室内装飾品として機能する場合にも十分な照明効果を発揮することができる照明装置を提供すること目的としている。
【課題を解決するための手段】
【０００６】  本発明に係る照明装置は、机上に載置するための本体と、本体に収容された電源と、電源に接続され、本体の上端から突出する複数のケーブルと、複数のケーブルの先端に設けられ、電源から供給される電力によって発光する発光部と、本体の外周面に嵌合され、ケーブルを囲繞する上昇位置とケーブルが露出する下降位置との間において、本体に対して相対変位可能な筒体とを備え、筒体が上昇位置にあるとき、発光部は筒体の中に収容され、筒体が下降位置にあるとき、ケーブルは発光部が本体の外周面から径方向外方に突出するように変形可能であることを特徴としている。【０００７】  発光部は例えば、光を照射する電球と、電球の外周を囲繞し、ケーブルに向かって窄まる円錐形状を有する傘状部材とを有する。傘状部材は可撓性を有することが好ましい。
【発明の効果】
【０００８】  本発明によれば、懐中電灯として利用できるだけでなく、室内装飾品として機能する場合にも十分な照明効果を発揮することができる照明装置を得ることができる。
【図面の簡単な説明】
【０００９】
【図１】本発明の一実施形態である照明装置であって、筒体が上昇位置にある状態を示す平面図である。
【図２】筒体が上昇位置にあるときの照明装置の縦断面図である。
【図３】筒体が下降位置にあるときの照明装置の平面図である。
【図４】筒体が下降位置にあるときの照明装置の縦断面図である。
【発明を実施するための形態】
【００１０】  以下、図面を参照して本発明の実施形態を説明する。図１、２は本発明の一実施形態の照明装置であって、懐中電灯として使用する状態を示している。
本体１０は有底筒状を有し、本体１０内には電源１１が収容される。電源１１は例えば乾電池である。本体１０内には支持板１２が設けられ、支持板１２には複数本のケーブル１３が挿通する。ケーブル１３は可撓性の材料から成り、各ケーブル１３の基端は電源１１に電気的に接続される。各ケーブル１３は本体１０の上端から突出し、その先端には、電源１１から供給される電力によって発光する発光部２０が設けられる。
【００１１】  発光部２０は、本実施形態では５つ設けられる。各発光部２０は、光を照射する電球２１と、電球２１の外周を囲繞する傘状部材２２とを有する。傘状部材２２はケーブル１３に向かって窄まる円錐形状を有し、ケーブル１３に固着される。傘状部材２２は合成樹脂等のように弾性を有する可撓性材料によって成形され、傘状部材２２の内壁面は、電球２１からの光を反射するための薄膜層によって被覆されることが好ましい。
【００１２】  本体１０の外周面には筒体１５が嵌合され、筒体１５は本体１０と略同じ軸方向長さを有する。筒体１５はケーブル１３を囲繞する上昇位置（図２）とケーブル１３が露出する下降位置（図４）との間において、本体１０に対して相対変位可能である。筒体１５が上昇位置にある状態において筒体１５を本体１０に固定するため、本体１０には従来公知のロック機構（図示せず）が設けられる。
【００１３】  図３、４は照明装置を室内装飾品として使用する状態を示している。この状態では、筒体１５は下降位置にあり、筒体１５の下端は本体１０の下端に略一致している。一方、筒体１５の上端は本体１０の上端よりも若干低い位置にある。ケーブル１３は可撓性を有し、発光部２０が本体１０の外周面から径方向外方に突出するように変形可能である。
【００１４】  発光部２０の個数すなわちケーブル１３の本数は本実施形態では５であり、照明装置を上方から見ると、発光部２０は中央に１個、その周囲に４個設けられる。筒体１５が上昇位置にあるとき、筒体１５は周囲に位置する４つの発光部２０に干渉し、これらの発光部２０の傘状部材２２は扁平に変形しているが（図２参照）、筒体１５が下降位置に定められた状態では、これらの発光部２０が取付けられた４本のケーブル１３を径方向外方へ湾曲させることができ、これにより４つの発光部２０は筒体１５から外方へ向き（図３参照）、また各傘状部材２２は弾性力によって円錐状になる。
【００１５】  本体１０は図３、４の状態では発光部２０が上方を向くようにして机上に載置されるが、このような使用に限定されず、本体１０が横になるように載置してもよい。一方、図１、２の状態では本体１０あるいは筒体１５を把持して懐中電灯として使用できる。
【００１６】  発光部２０の電球２１を点灯させるためのスイッチ（図示せず）は例えば、本体１０の外側底面を凹陥させて設ければよい。
【００１７】  また本体１０の上端１０ａと筒体１５の上端１５ａはそれぞれ面取りすることが好ましく、これにより、筒体１５が下降位置にあるとき、図４に示すように傘状部材２２の外面が上端１０ａ、１５ａに対して面接触することになり、傘状部材２２は円錐形状を維持することができる。
【００１８】  以上のように本実施形態によれば、筒体１５を下降位置に定めた状態において、発光部２０が筒体１５よりも外側に突出するので、広範囲にわたって照明することができる。すなわち本実施形態の照明装置は、懐中電灯として利用できるだけでなく、室内装飾品として機能する場合にも十分な照明効果を発揮することができる。
【００１９】  なお、ケーブル１３を柔軟性の高い材料によって成形すれば、筒体１５が下降位置に定めた状態において周囲の４つの発光部２０の自重によってケーブル１３が湾曲することも可能である。また発光部２０の数を本実施形態よりも増加させ、筒体１５が下降位置にある状態において、各発光部２０が傘状部材２２の弾性力によって外方に広がるように構成することもできる。
【符号の説明】
【００２０】１０  本体
１１  電源
１３  ケーブル
１５  筒体
２０  発光部
【図１】
2018060763.tif 000003
【図２】
2018060763.tif 000004
【図３】
2018060763.tif 000005
【図４】
2018060763.tif 000006